(57)【特許請求の範囲】
【請求項１】
突起が先端寄りに配設された打球槌を駆動するとともに当該突起を介して遊技球に対して打出力を作用させて遊技球を打ち出す遊技機であって、
前記打球槌の待機位置において前記突起の下側に配置され、前記打球槌によって打ち出される遊技球を保持する誘導レールと、
該誘導レールと共に遊技球を保持する部材であって前記打球槌の待機位置において前記突起の上側に配置された保持部材とを備え、
前記打球槌は、本体枠の一部である前面枠によって前面側を覆われており、所定の弾性体の付勢力によって前記待機位置に復帰する回動方向に付勢されており、
前記打球槌の回動範囲内においては、前記打球槌の突起が前記前面枠の上端面よりも下方或いは略同一面に位置しており、
前記打球槌を前記待機位置から所定量駆動させた位置であって前記打球槌の突起が前記保持部材の下側から移動した調整位置においては、前記打球槌の突起の上に前記保持部材が位置せず、
前記打球槌の回動経路内に配置可能であると共に前記打球槌より前記付勢力の作用方向側にて前記打球槌と当接することによって前記打球槌を前記調整位置に一時的に保持する部材であって前記待機位置に打球槌を保持する部材とは別部材により構成される係止具により前記付勢力の作用方向と逆方向に打球槌を回動させた状態とし、前記突起の配向方向を調整可能に構成され、
前記打球槌は、前記突起より上側に連続し、前記待機位置において前記突起の前面側を覆う部分の上端面より上方に連続する長さに形成されていることを特徴とする遊技機。
【請求項２】
前記遊技機は、パチンコ機であることを特徴とする請求項１記載の遊技機。
【発明の詳細な説明】
【技術分野】
【０００１】
本発明は、打球槌によって遊技球を打ち出す遊技機に関する。
【背景技術】
【０００２】
パチンコ機などの遊技機においては、本体全面枠の下部に配設された操作ハンドルによ
って打出強度を調整可能な打球槌によって遊技球を遊技盤に対して繰り返し打ち出すこと
により遊技が行われる。この打球槌は通常、その回動面の外周側の先端に突起を備えてお
り、当該突起には弾性体が取り付けられる。さらに、この打球槌は所定の弾性体によって
所定の回動方向に付勢されている。従って、通常状態で一方向に付勢されており、操作ハ
ンドルの操作に応じてモータを駆動し、上記打球槌に対して逆付勢力を作用させ、また、
逆付勢力を解除して打球槌を繰り返し揺動することによって上記突起に取り付けられた弾
性体で遊技球を打ち出すことができる。
【０００３】
遊技場では通常、既定の大きさで作成された複数台の遊技機を島に対して並設しており、各遊技機の枠はほぼ既定の大きさであると言える。近年、枠の大きさを変化させることなく遊技盤を大きくした遊技機が提案されている。この遊技機では遊技盤上の遊技球誘導レールを周縁方向に拡張し、広い遊技領域を確保している。従って、遊技球を打ち出すための遊技球発射機構が従来の遊技機より下方に配置される。また、遊技盤下部や遊技盤の周縁に配設される機構部分を構成するための空間が限られている。従って、上記打球槌を配設する空間が従来の遊技機より、狭くなるとともに当該狭い空間に種々の部品が配設されることになる。
【発明の概要】
【発明が解決しようとする課題】
【０００４】
上述した従来の遊技機においては、遊技球の打出方向を調整するために上記打球槌の突起の配向方向を調整する必要があるが、打球槌の周囲の空間に余裕がなく調整が非常に困難であった。
【０００５】
本発明は、上記課題にかんがみてなされたもので、周囲の空間が狭い打球槌であっても容易に調整を行うことが可能な遊技機の提供を目的とする。
【課題を解決するための手段】
【０００６】
上記目的を達成するため、請求項１にかかる発明は、
突起が先端寄りに配設された打球槌を駆動するとともに当該突起を介して遊技球に対して打出力を作用させて遊技球を打ち出す遊技機であって、
前記打球槌の待機位置において前記突起の下側に配置され、前記打球槌によって打ち出される遊技球を保持する誘導レールと、
該誘導レールと共に遊技球を保持する部材であって前記打球槌の待機位置において前記突起の上側に配置された保持部材とを備え、
前記打球槌は、本体枠の一部である前面枠によって前面側を覆われており、所定の弾性体の付勢力によって前記待機位置に復帰する回動方向に付勢されており、
前記打球槌の回動範囲内においては、前記打球槌の突起が前記前面枠の上端面よりも下方或いは略同一面に位置しており、
前記打球槌を前記待機位置から所定量駆動させた位置であって前記打球槌の突起が前記保持部材の下側から移動した調整位置においては、前記打球槌の突起の上に前記保持部材が位置せず、
前記打球槌の回動経路内に配置可能であると共に前記打球槌より前記付勢力の作用方向側にて前記打球槌と当接することによって前記打球槌を前記調整位置に一時的に保持する部材であって前記待機位置に打球槌を保持する部材とは別部材により構成される係止具により前記付勢力の作用方向と逆方向に打球槌を回動させた状態とし、前記突起の配向方向を調整可能に構成され、
前記打球槌は、前記突起より上側に連続し、前記待機位置において前記突起の前面側を覆う部分の上端面より上方に連続する長さに形成されている構成としてある。
【発明の効果】
【０００７】
請求項１にかかる発明によれば、周囲の空間が狭い打球槌であっても容易に調整を行うことが可能な遊技機を提供することができる。
【図面の簡単な説明】
【０００８】
【図１】前面のガラス枠を取り外した状態のパチンコ機を示す正面図である。
【図２】遊技球打出部の上部を拡大して示す斜視図である。
【図３】遊技球打出部の主な機構を背面側から眺めた状態を示す図である。
【図４】打球槌調整具の分解斜視図である。
【図５】打球槌の突起を調整する際の操作を説明する説明図である。
【図６】押しボタン方式ストッパの構成例を示す概略図である。
【図７】他の例において打球槌の突起を調整する際の操作を説明する説明図である。
【図８】打球槌の回動と係止を兼用する部材を示す斜視図である。
【図９】他の例において打球槌の突起を調整する際の操作を説明する説明図である。
【図１０】他の例における打球槌調整具の分解斜視図である。
【図１１】他の例において打球槌の突起を調整する際の操作を説明する説明図である。
【図１２】他の例における本体枠の構成を示す図である。
【図１３】ガイド部が溝によって形成される場合の実施例を示す斜視図である。
【図１４】打球槌調整具の他の一例を示す斜視図である。
【図１５】他の実施例において遊技球打出部の上部を拡大して示す斜視図である。
【図１６】他の実施例において打球槌の突起を調整する際の操作を説明する説明図である。
【図１７】打球槌調整具の他の一例を示す斜視図である。
【図１８】打球槌調整具の他の一例を示す斜視図である。
【図１９】打球槌調整具の他の一例を示す斜視図である。
【図２０】打球槌調整具の他の一例を示す斜視図である。
【図２１】他の実施例において遊技球打出部の上部を拡大して示す斜視図である。
【図２２】他の実施例における打球槌調整具の本体を示す斜視図である。
【図２３】他の実施例にかかる打球槌の動作を示す図である。
【図２４】他の実施例にかかる打球槌調整具の本体を示す斜視図である。
【図２５】他の実施例にかかる打球槌を示す斜視図である。
【図２６】他の実施例にかかる打球槌の動作を示す図である。
【図２７】他の実施例にかかる打球槌調整具の本体を示す斜視図である。
【図２８】他の実施例にかかる打球槌を示す斜視図である。
【発明を実施するための形態】
【０００９】
本発明は、上記の構成に限られるものではなく、以下の手段も含むものである。  
手段０
突起を備えた打球槌を駆動するとともに当該突起を介して遊技球に対して打出力を作用させて遊技球を打ち出す遊技機であって、
同遊技機の本体枠に配設されるとともに上記打球槌をその待機位置から所定量駆動させた調整位置にて当該打球槌に係合して当該調整位置を一時的に保持させる係止片を備えることを特徴とする遊技機。
手段１
上記打球槌が所定の弾性体の付勢力によって回動するように構成されており、上記係止片は上記打球槌を上記付勢力の作用方向と逆方向に所定量回動させた回動位置にて当該打球槌に係合して当該回動位置を一時的に維持するように構成しても良い。すなわち、回転可能に軸止された打球槌に対して弾性体を取り付け、所定方向に付勢力を作用させておけば、遊技球の打出に際して上記付勢力の逆方向に力を作用させ、当該力を解除することによって打球槌を付勢力方向に回動させて、遊技球を打ち出すことができる。かかる構成において、係止片によって打球槌を係合することにより、弾性体の付勢力によって所定の回動方向に付勢されている打球槌をその逆方向に回動させた所定の調整位置で保持することができる。
【００１０】
従って、打球槌に作用する付勢力によって調整終了前に打球槌が待機位置に復帰してし
まうことを防止することができる。また、打球槌の調整具を打球槌の突起に対して装着し
、当該突起の配向方向を調整するに際して、打球槌を調整位置に維持させるために調整具
によって常に打球槌に逆付勢力を作用させる必要がない。このため、非常に容易に打球槌
の突起の配向方向を調整することができる。ここで、上記弾性体においては打球槌を回動
させる付勢力を作用させることができればよく、種々の部材を採用可能である。例えば、
螺旋状のバネによれば螺旋軸方向に付勢力を作用させることができる。他にも、筒状や柱
状に成形したウレタンゴム等、種々の部材によって弾性体を構成することができる。尚、
遊技球の打出に際して打球槌を駆動する駆動力は種々の構成によって生成することができ
る。すなわち、上記弾性体を利用する構成の他、ソレノイド等によって打球槌を駆動し、
その突起を介して遊技球を打ち出す構成等を採用可能である。
【００１１】
手段２
上記係止片の構成として、本体枠に設けられた溝に沿って打球槌の駆動経路と駆動経路
外とを進退する構成が採用可能である。打球槌の駆動経路上に係止片を配設させておけば
、打球槌の駆動後に所定の弾性体の付勢力によって打球槌の待機位置に復帰しないように
所定位置にとどめておくことができ、打球槌の突起を容易に調整することができる。また
、係止片が溝に沿って進退することにより、調整時以外には係止片を駆動経路から容易に
退避させておくことができる。
【００１２】
手段３
上記係止片の構成として、本体枠に押しボタンを設けるとともに当該ボタンの押し込み
操作によって打球槌の回動経路に係止片が突出するような構成が採用可能である。かかる
構成においても打球槌の駆動経路上に係止片を配設させておけば、打球槌の駆動後に所定
の弾性体の付勢力によって打球槌の待機位置に復帰しないように所定位置にとどめておく
ことができ、打球槌の突起を容易に調整することができる。
【００１３】
手段４
上記打球槌に備えられた突起の配向方向を容易に調整するための構成として本体枠に設
けられた溝に沿って進退する係止片を構成し、当該係止片の進退に際して打球槌を係合し
て駆動させることができるようにしても良い。かかる構成によれば、打球槌の周辺の空間
が狭い場合であっても容易に打球槌を駆動し、調整しやすい位置に配置することができる
。むろん、この係止片の進退を一時的にロックすることによって上述の係止片と同様に打
球槌を所定の駆動位置にて一時的に維持させるように構成しても良い。
【００１４】
手段５
上記本体枠の構成として、打球槌調整具の初期位置を位置決めする部材を配設しても良
い。たとえば、打球槌調整具の初期位置として好適な位置に隣接させて本体枠から突出し
た部材を形成すれば、当該突出した部材に打球槌調整具を押し当てることによって打球槌
調整具を非常に容易かつ確実に打球槌調整具の初期挿入位置決めを実施することができる
。位置決めのための部材の形状は特に限定されない。すなわち、打球槌調整具の初期挿入
位置を規定することができる限りにおいて任意の形状の部材を採用することができる。打
球槌周辺の狭い空間で構成するためには、当該部材の形状を打球槌調整具の先端形状と相
似形状に形成する構成が好ましい。
【００１５】
手段６
上記本体枠の構成として、打球槌調整具の動作をガイドするガイド部を形成しても良い
。たとえば、打球槌調整具によって打球槌を駆動させるとともに当該打球槌が備える突起
に所定の装着部を装着して配向方向を調整する構成においては、打球槌調整具の挿入、打
球槌調整具による打球槌の駆動、装着部の装着など一連の動作が必要になる。そこで、こ
の動作をガイドするような部材を構成すると好適である。この結果、調整時にはガイド部
材に沿って打球槌調整具を手元でひねるのみで上記突出部にて打球槌を駆動し、さらに、
駆動後に打球槌調整具を大きく移動させることなく装着部を突起に装着することができる
。ガイド部材の形状は特に限定されない。すなわち、打球槌調整具の動作をガイドするこ
とができる限りにおいて任意の形状の部材を採用することができる。動作をスムーズにガ
イドするためには打球槌調整具の外周部に沿った壁面を形成する構成が好ましい。ガイド
部の構成としては本体枠から手前側に突出する部材を形成しても良いし、本体枠側に凹部
を設けても良い。
【００１６】
手段７
上記本体枠の構成として、打球槌の突起の配向方向を調整する際に打球槌調整具を取り
回すための空間を形成する凹部あるいは切欠を形成しても良い。これら凹部や切欠が本体
枠に設けられていれば、突起調整時に打球槌調整具と本体枠とが干渉しづらく、打球槌調
整具を高い自由度で取り回すことができる。また、場合によっては凹部や切欠の端面に打
球槌調整具を当接させ、当該当接位置を支点にしててこの原理によって容易に突起に対し
て力を作用させることができ、少ない力で容易に突起の配向方向を調整することが可能に
なる。
【００１７】
手段８
さらに、上記打球槌調整具として、一方向に長い部材であるとともに一方の先端に打球
槌の突起に対して装着可能な装着部を有し、同装着部側の先端に上記打球槌の一部に係合
させつつ当該打球槌を通常状態の待機位置から上記付勢力の作用方向と逆方向に回動させ
ることが可能な突出部を形成したものを採用しても良い。すなわち、打球槌調整具は一方
向に長い部材であるとともに一方の先端に打球槌の突起に対して装着可能な装着部を備え
ており、さらに突出部を備えている。この突出部は打球槌調整具の装着部側の先端に構成
されており、同突出部を上記打球槌の一部に係合させることが可能である。そして、当該
打球槌を通常状態の待機位置から駆動させることが可能である。
【００１８】
従って、突出部を打球槌周辺の狭い空間に挿入して容易に打球槌を駆動することが可能
である。さらに、調整具は装着部を備えており、上記突出部による打球槌への係合を解除
し後に打球槌の突起に上記装着部を装着させることができる。
また、打球槌調整具は一方向に長い部材であり、当該装着部はその一方の先端に配設さ
れているので、他方の先端寄りの部分を握りつつ打球槌調整具を移動させることによって
、容易に突起の配向方向を調整することができる。
手段９
上記突出部の構成として、上記装着部に対して上記突起を挿入する方向に延設した部材
で形成しても良い。上記突起は打球槌に対して垂設されていることが多く、これにより打
球槌の駆動にてその突起の移動方向に遊技球を打ち出すようになっている。従って、装着
部に対して突出部を延設すると当該突出部によって打球槌を係合して駆動させると同時に
、装着部を突起の挿入方向に配向させることができ、この係合を解除して上記付勢力によ
って打球槌を待機位置に復帰させるときに、上記装着部を容易に打球槌の突起に装着させ
ることができる。
【００１９】
手段１０
上記突出部の構成として、薄板状の部材を形成しても良い。薄板状の部材を形成すれば
、打球槌の周辺の空間に余裕が少ない場合であってもその隙間に当該薄板状の部材を挿入
し、打球槌を駆動することができる。
【００２０】
手段１１
上記突出部の構成として、屈曲した板状の部材を形成しても良い。屈曲した板状の部材
を形成すれば、当該屈曲した板の先端を打球槌に係合して駆動させることができ、この係
合を解除して上記付勢力によって打球槌を待機位置に復帰させるときに、打球槌を容易に
回避しつつ容易に当該打球槌の突起を上記装着部に装着させることができる。
【００２１】
手段１２
上記突出部の構成として、鉤状の係合部と円弧状のガイド部とを備える部材を形成して
も良い。鉤状の部位を形成すれば容易に打球槌を係合させることができ同打球槌を駆動さ
せている途中に誤って係合を解除することが少なくなって操作性が向上する。円弧状の部
位を形成すれば、当該円弧状の部位に打球槌を当接させつつ摺動させ、打球槌およびその
突起と打球槌調整具との相対的な位置関係を容易に規定することができ、打球槌の突起を
確実に上記装着部へガイドすることができる。
【００２２】
手段１３
上記打球槌調整具の構成として、装着部側の先端寄りの所定位置を屈曲させても良い。
装着部側の先端寄りの所定位置を屈曲させれば、狭く複雑な隙間を有する打球槌の周辺の
空間において高い自由度で打球槌調整具を移動させて打球槌に到達させることができると
ともに、高い自由度で打球槌の突起に装着した装着部を移動させて突起の配向方向を調整
することができる。むろん、屈曲は一箇所でも良いし二箇所以上でも良い。屈曲位置や屈
曲角度，屈曲の形状等は本体枠と打球槌の位置関係や打球槌およびその周辺の部材の形状
に対応させて変形することができる。
【００２３】
手段１４
上記打球槌調整具の構成として、装着部側の先端寄りの所定位置に切欠を形成しても良
い。打球槌調整具に切欠が形成されていれば、狭く複雑な隙間を有する打球槌の周辺の空
間において、打球槌に対して打球槌調整具を到達させるために障害となりうる部材を容易
に回避し、高い自由度で打球槌調整具を移動させて打球槌に到達させることができるとと
もに、高い自由度で打球槌の突起に装着した装着部を移動させて突起の配向方向を調整す
ることができる。むろん、切欠は一箇所でも良いし二箇所以上でも良い。切欠の形成位置
や切欠の深さ，切欠の形状等は前面枠と打球槌の位置関係や打球槌およびその周辺の部材
の形状に対応させて変形することができる。
【００２４】
手段１５
上記打球槌調整具の構成として、所定の位置に把手を装着する装着穴を形成しても良い
。装着穴を形成すれば、打球槌調整具に把手を装着することができ、上記装着部と反対側
の端部と把手とを握りつつ両手で打球槌調整具を移動させることができる。従って、打球
槌の突起の配向方向を微妙に調整することが可能になる。また、力加減を容易に調整する
ことができるし、突起に対してより大きな力を作用させることができる。この結果、非常
に高い操作性で打球槌を操作することができる。
【００２５】
手段１６
上記装着部の構成として、円筒状の部材を形成することができる。円筒状の部材によれ
ば、当該円筒より径の小さな円柱状の突起や円錐状の突起に装着して当該突起の垂設方向
に略垂直な任意の角度に配向するように力を作用させることができ、高い自由度で突起の
配向方向を調整することができる。むろん、突起の配向方向を調整するに当たり、当該突
起に対して弾性体を装着したままの状態で装着部を装着しても良い。
【００２６】
手段１７
上記装着部の構成として、断面略Ｕ字形の部材を形成することができる。断面略Ｕ字形
の部材は、当該断面略Ｕ字形の部材の内径より径の小さな円柱状の突起や円錐状の突起に
容易に脱着することができる。従って、突起配向方向の調整に際して装着部の脱着に手間
がかかることがない。むろん、突起の配向方向を調整するに当たり、当該突起に対して弾
性体を装着したままの状態で装着部を装着しても良い。
【００２７】
手段１８
上記打球槌の構成として、上記突起が先端寄りの所定位置に配設される打球槌に対して
当該突起より先端側に延設された延設部を形成しても良い。当該延設部によれば、当該延
設部に対して打球槌の調整具に備えられた突出部等を容易に係合させ、打球槌を通常状態
の待機位置から駆動することができる。むろん、打球槌の調整具を利用することが必須で
はなく、上記延設部を指で操作して打球槌を駆動しても良い。以上のようにして、打球槌
の周囲の空間が狭くても、当該打球槌を駆動させて調整容易な場所まで打球槌を移動させ
ることができ、その突起の配向方向を容易に調整することができる。かかる構成は打球槌
の周辺の空間が狭いＬ枠では特に好適である。上記打球槌の突起が前面枠の端面からわず
かに上方に突出する状態は、その突出量が小さいことによって打球槌が駆動させづらくな
る状態であり、この限りにおいて突出量は限定されない。
【００２８】
手段１９
上記打球槌が所定の弾性体の付勢力によって回動するように構成されており、当該付勢
力の作用方向と逆方向に打球槌を回動させるための部材を上記延設部に係合できるように
構成しても良い。すなわち、回転可能に軸止された打球槌に対して弾性体を取り付け、所
定方向に付勢力を作用させておけば、遊技球の打出に際して上記付勢力の逆方向に力を作
用させ、当該力を解除することによって打球槌を付勢力方向に回動させて、遊技球を打ち
出すことができる。かかる構成において、延設部に対して付勢力の作用方向と逆方向に打
球槌を回動させるための部材を係合可能であれば、当該部材によって非常に容易に打球槌
を回動させることができる。すなわち、調整可能な位置に打球槌を容易に移動させること
ができる。当該部材は打球槌の調整具に対して配設しておけばよい。ここでも、上記弾性
体においては打球槌を回動させる付勢力を作用させることができればよく、種々の部材を
採用可能である。また、遊技球の打出に際して打球槌を駆動する駆動力は種々の構成によ
って生成することができる。
【００２９】
手段２０
上記打球槌の構成として、延設部を打球槌の駆動平面に略垂直に延設しても良い。すな
わち、打球槌によって遊技球を打ち出すために、通常は打球槌の駆動平面に対して平行に
突起を設け、当該突起で遊技球を打ち出すが、延設部が打球槌の駆動平面に平行でなくて
も当該延設部を介して打球槌を駆動させることができる。むろん、当該突起において突起
に対して略垂直に延設部を設けてもよいし、打球槌の本体において延設部を設けても良い
。尚、打球槌を回動させる場合に、上記駆動平面は打球槌の回動平面である。
【００３０】
手段２１
上記打球槌の構成として、当該打球槌と別部材を装着可能に構成してもよい。別部材を
装着することができれば、打球槌の突起の調整時に必要に応じて装着し、打球槌を実質上
延設することができる。別部材を装着可能にする構成としては、例えば、打球槌の先端に
突起を延設し上記別部材において当該突起に嵌合可能な凹部を形成する構成を採用可能で
ある。むろん、打球槌に凹部を形成し別部材に突起を形成しても良いし、突起と凹部との
嵌合以外に種々の装着機構を採用可能である。また、打球槌を延設可能に構成できる限り
において別部材の形状も限定されず、矩形，板状，屈曲した部材等種々の形状を採用可能
である。
【００３１】
手段２２
上記延設部の構成として、遊技機の前面枠端面より上方に露出する長さに形成しても良
い。すなわち、打球槌が遊技機の前面枠に対して回動可能に支持されており、打球槌の待
機位置では当該打球槌に設けられた突起の先端が遊技球の発射点に位置する状態であり、
さらに打球槌の回動範囲内では上記待機位置において打球槌の先端が最上位置になる状況
で、延設部を前面枠端面より上方に露出させる。かかる構成によれば、打球槌の待機位置
において当該打球槌と延設部との境界が上記前面枠の端面より下方あるいは略同一面に配
置されていても、延設部を介して非常に容易に打球槌を回動させることができる。
【００３２】
手段２３
上記延設部の構成として、延設部を所定の位置にて屈曲させても良い。延設部が屈曲し
ていれば、打球槌の調整具をより簡単に係合させることができ、打球槌を容易に駆動する
ことができる。
【００３３】
手段２４
上記延設部の構成として、延設部に切欠や凹部を形成しても良い。切欠や凹部によれば
、打球槌の調整具をより確実に係合させることができるし、係合して打球槌を駆動させて
いるときに当該係合が容易に解除されることを防止することができる。むろん、係合が容
易に解除されることを防止するため、滑り止めを形成しても良い。
【００３４】
手段２５
上記打球槌の構成として、モータの回転駆動力を利用して突起調整のための調整位置へ
と駆動してもよい。すなわち、必ずしも打球槌の調整具によって打球槌を駆動する構成を
採用する必要はなく、モータの回転駆動力によって打球槌を調整用の初期位置に移動させ
ても良い。この場合の駆動量はほぼ一定であるため、サーボモータやソレノイドを利用し
て特定角度回転させるように駆動する構成等を採用可能である。
【００３５】
手段２６
上記遊技機の構成として、遊技球誘導レールを遊技領域の周縁側に配置して同遊技球誘
導レールの曲率半径を増大させたものを採用しても良い。すなわち、Ｌ枠の遊技機におい
ては遊技球誘導レールを周縁方向に拡張することによって遊技領域として広い面積を確保
しており、かかる遊技機に対して本発明を適用することができる。他にも遊技球が最初に
遊技球誘導レールに到達する位置を遊技機の左方に移動することによって遊技領域を遊技
機の下方に拡張した構成や遊技球誘導レールの下端側の傾角を大きく（急斜面に）するこ
とによって遊技領域を遊技機の下方に拡張した構成に対して本発明を適用することが可能
である。Ｌ枠に対して本発明を適用するためには、上述の曲率半径が従来の遊技機の遊技
球誘導レールにおける曲率半径より大きく、また、上述の到達位置が従来の遊技機におる
遊技球誘導レールへの到達位置より左方であり、また、上述の傾角が従来の遊技機におけ
る遊技球誘導レール下端側の傾角より大きければよい。
【００３６】
以上説明したように本発明は、打球槌の突起を調整しやすい回動位置で打球槌を維持す
ることができ容易に突起の配向方向を調整可能な遊技機を提供することができる。
また、手段１にかかる発明によれば、弾性体の付勢力によって回動する打球槌の突起を
調整しやすい回動位置で維持することができる。
さらに、手段２にかかる発明によれば、必要に応じて打球槌をその回動経路の所定位置
で保持することができる。
【００３７】
さらに、手段３にかかる発明によれば、打球槌の突起を調整しやすい回動位置で打球槌
を維持することができ突起の配向方向の調整が容易になる。
さらに、手段４にかかる発明によれば、打球槌の駆動と所定駆動位置での維持とを容易
に実施することができる。
さらに、手段５にかかる発明によれば、打球槌調整具を初期位置に対して的確に配置す
ることができる。
【００３８】
さらに、手段６にかかる発明によれば、打球槌調整具を的確に移動させ、打球槌の突起
に対して確実に装着することができる。
さらに、手段７にかかる発明によれば、打球槌調整具の取り回し作業が非常に楽になる
。
さらに、手段８にかかる発明によれば、打球槌の周囲の空間が狭い打球槌であっても容
易に調整を行うことが可能な遊技機の打球槌調整具を提供することができる。また、打球
槌調整具によって一連の動作で打球槌の回動と突起の調整を実施することができる。
【００３９】
さらに、手段９にかかる発明によれば、装着部を容易に突起に装着可能である。
さらに、手段１０にかかる発明によれば、打球槌を容易に駆動させることができる。
さらに、手段１１にかかる発明によれば、打球槌の駆動と装着部の突起への装着とが容
易になる。
【００４０】
さらに、手段１２にかかる発明によれば、装着部を突起に対して的確に装着させること
ができる。
さらに、手段１３および手段１４にかかる発明によれば、打球槌調整具を容易に取り回
すことができ、突起の調整が容易になる。
さらに、手段１５にかかる発明によれば、打球槌調整具を容易に取り回すことができ、
また、少ない力で突起の配向方向を変動させることができ、突起の調整が容易になる。
【００４１】
さらに、手段１６にかかる発明によれば、突起に対して容易に装着可能な装着部を形成
することができる。
さらに、手段１７にかかる発明によれば、突起に対して装着部を容易に脱着することが
できる。
さらに、手段１８にかかる発明によれば、打球槌の周辺が狭い遊技機において狭い空間
に打球槌の調整具を挿入して容易に打球槌を回動させることができる。
【００４２】
さらに、手段１９にかかる発明によれば、弾性体の付勢力によって回動する打球槌の周
辺の空間が狭くても容易に打球槌を回動させることができる。
さらに、手段２０〜手段２２にかかる発明によれば、狭い空間に打球槌の調整具を挿入
し容易に打球槌を駆動させることができる。
さらに、手段２３および手段２４にかかる発明によれば、打球槌の調整具を打球槌に対
してより確実に係合させることができる。
さらに、手段２５にかかる発明によれば、打球槌を適切な位置に自動で回動させること
ができる。
さらに、手段２６にかかる発明によれば、本発明をＬ枠に対して適用することができる
。
【００４３】
以下、図面にもとづいて本発明の実施形態を説明する。
図１は、本発明の一実施形態にかかるパチンコ機において前面のガラス枠を取り外した
状態を正面図により示している。すなわち、本パチンコ機においてはメンテナンス等のた
めにガラス枠を取り外したり開閉することが可能であり、同図に示すようにしてガラス枠
を取り外したり、開いた状態で本発明にかかる遊技機の打球槌の突起配向方向を調整する
。
【００４４】
図において、パチンコ機１０は、電動式の遊技球打出部２０を備えており、操作ハンド
ル２１を手で持って右方向に回転させると、盤面下方から所定の周期で遊技球が連続的に
打ち出され、打ち出された遊技球は誘導レール１１を通って遊技領域１２に導出される。
遊技領域１２に導出された遊技球が盤面中央付近に設置された始動口１３に入賞すると、
液晶表示パネル１４の表示内容が変動する。
この液晶表示パネル１４には三つの数字が表示されるようになっており、数値が揃った
場合に大入賞口１５が開放される。
【００４５】
このようにして大入賞口１５が開放され、当該大入賞口１５に遊技球が入賞することに
よって多くの遊技球が提供される。そして、遊技者はパチンコ機１０の前面に備えられた
図示しない上皿等に多くの遊技球を蓄積できるように遊技を行うようになっている。同図
に示すパチンコ機は、Ｌ枠と呼ばれるパチンコ機であり、遊技領域１２の面積が従来のパ
チンコ機より上下左右に広い。従って、上記図示しない上皿が従来のパチンコ機より下方
に配置される。Ｌ枠であってもパチンコ機１０を設置する遊技島の大きさは従来のものと
同一であることから、上皿や上記遊技球打出部２０を配設するための領域は従来のパチン
コ機と比較して狭くなっている。従って、上皿や遊技球打出部２０においては狭い領域を
効率的に利用して各機構が配設されている。
【００４６】
図２は、上記遊技球打出部２０の上部を拡大して示す斜視図であり、図３は遊技球打出
部２０の主な機構を示す図であって背面側から眺めた状態で示している。遊技球打出部２
０においては、モータの回動力が打球槌２２に伝達され、打球槌２２の揺動によって繰り
返し遊技球を打ち出すようになっている。打球槌２２は細長い薄板状の部材によって構成
されており、先端部分に突起２２ａを備えている。突起２２ａは打球槌２２の長手方向に
対して略直角に垂設されており、全体として略Ｌ字型を形成している。突起２２ａと打球
槌２２の本体とは別部材かつ別の素材によって形成されており、双方が硬い素材であるが
突起２２ａの方がやわらかい素材である。
【００４７】
従って、突起２２ａに対して力を作用させたときに、打球槌２２本体よりも突起２２ａ
の方が曲がりやすく、突起２２ａの配向方向を調整することができる。
むろん、これらの部材は硬いため、繰り返し遊技球を打ち出す際にはほとんどその配向
方向は変形しない。また、突起２２ａは先端に向けて徐々にその径が細くなるように形成
されており、当該突起２２ａの外周と略同一の内径を有するバネ２２ｂが挿入される。
【００４８】
打球槌２２においては、突起２２ａの逆側の一端からやや中央よりにて回動可能に支持
されるとともに、回動軸付近の側端面から略垂直方向に突出する爪片２２ｃが形成されて
いる。さらに、打球槌２２の概ね中程にて紙面右方向に打球力調節バネ２３により牽引さ
れ、側端がストッパ２４に突き当たって止まる構成となっている。従って、打球槌２２は
打球力調整バネ２３の付勢力によってストッパ２４方向に付勢されており、通常状態では
ストッパ２４に対して打球槌２２が当接した状態で待機している。
【００４９】
一方、操作ハンドル２１はいわゆるタッチセンサを兼ねており、遊技者が手で触れて回
動させるとモータ部２５内の発射モータ２５ａが回転し、この発射モータ２５ａの回転軸
に取り付けられた概略勾状の回転体２５ｂが紙面時計回りに回転するようになっている。
発射モータ２５ａの回転時において、回転体２５ｂが所定の位置まで回転すると爪片２２
ｃの先端に当接し、さらに回転が進むと打球力調節バネ２３の牽引力に逆らうようにして
打球槌２２を紙面反時計回り方向に回動させる。
【００５０】
そして、回転体２５ｂの勾状部先端が爪片２２ｃの先端からはずれると、打球力調節バ
ネ２３の付勢力により紙面時計回り方向に勢いよく回動し、側端がストッパ２４に突き当
たって止まる。すなわち、打球槌２２は発射モータ２５ａの回転に応じて所定範囲内で往
復動を繰り返し、上記突起２２ａに取り付けられたバネ２２ｂの先端を介してこの回動力
を遊技球に伝達する。従って、この動作に連動して遊技球が打ち出されるようになってお
り、遊技球が連続的に打ち出されることとなる。
【００５１】
打球力調節バネ２３における打球槌２２とは別の一端は、略楕円形の板状部材にて形成
されるバネ長調節片２６の先端部分に固定されている。このバネ長調節片２６は打球力調
節バネ２３を固定した側とは別の端部付近にて回動可能に支持されるとともに、側端部に
ワイヤー２６ａが接続されている。さらに、このワイヤー２６ａの別の一端は操作ハンド
ル２１の軸側に接続され、当該操作ハンドル２１の回動角度に応じて紙面左方向に引っ張
られる。すると、バネ長調節片２６は紙面時計回り方向に回動し、打球力調整バネ２３が
伸張されて遊技球の打出力も大きくなる。従って、遊技者は所望の打出力を得るべく適宜
操作ハンドル２１の回動角度を調整する。
【００５２】
遊技球打出部２０の上部においては、図２に示すように前面のガラス枠を外した状態に
おいて上記打球槌２２の突起２２ａ側の先端がガラス枠の下方かつ本体右側に位置してい
る。このパチンコ機においては、本体枠の一部として前面枠１６を備えており、当該前面
枠１６に遊技球を貯留する下皿等が配設されている。
同前面枠１６は遊技盤の前面と略平行であり同前面枠１６の裏側に上記打球槌２２が軸
止されている。従って、打球槌２２の回動平面と前面枠１６の壁面とは略平行である。
【００５３】
前面枠１６の奥側には遊技面と略平行な平面を有する壁面１７が形成されており、この
壁面１７の手前側に上皿等が配設される。この壁面１７と前面枠１６とが形成する平面の
間が打球槌２２の回動平面であり、上記打球槌２２の待機位置において打球槌２２の突起
２２ａの先端には上記誘導レール１１の一部が位置している。また、上記上皿からは貯留
された遊技球が図２に示す突起２２ａの先端位置に逐次供給されるようになっており、供
給された遊技球はこの誘導レール１１と保持部材１７ａとの間に保持される。従って、打
球槌２２が回動しても遊技球は保持部材１７ａと誘導レール１１の間に保持されるが、打
球力調整バネ２３の付勢力によって打球槌２２が再び図２に示す待機位置に復帰したとき
にバネ２２ｂの先端によって遊技球を誘導レール１１方向に打ち出す。
【００５４】
同バネ２２ｂは打球槌２２の突起２２ａに取り付けられているため、その配向方向は突
起２２ａの配向方向とほぼ一致する。従って、打球槌２２の待機位置は一定であっても、
バネ２２ｂの配向方向は突起２２ａの配向方向によって異なり、図３に示すように突起２
２ａの配向方向によって遊技球が打ち出される方向も異なってくる。本実施形態にかかる
パチンコ機１０は上述のようにＬ枠であり、誘導レール１１の経路も従来のパチンコ機よ
り長くなっているので、遊技球の初期打出方向によって遊技球が遊技盤に対して適切に供
給されたり、適切に供給されなかったりする。従って、Ｌ枠においては特に当該突起２２
ａの配向の調整が重要である。
【００５５】
一方、図２に示すように、本実施形態にかかる打球槌２２は先端部分が前面枠１６の奥
側に位置しており、打球槌２２の上先端は前面枠１６の上端面より下方に位置している。
また、打球槌２２の待機位置にて突起２２ａの周辺に各種部材が配設されているので、打
球槌２２を回動させないとその突起２２ａを調整することができない。しかし、打球槌２
２は上述の打球力調整バネ２３によって常に図２の紙面反時計回り方向に付勢されており
、この付勢力に抗して打球槌２２を回動させ続けながら突起２２ａに対して打球槌調整具
を装着し、装着後にさらに突起の配向方向を調整するのは一般的には容易でない。本実施
形態のようなＬ枠のパチンコ機１０においては打球槌２２の周辺の空間が狭いので、作業
容易性は特に重要である。
【００５６】
そこで、本発明では壁面１７においてストッパを設け、打球槌２２を適切な回動位置で
維持させることができるように構成した。すなわち、壁面１７の紙面右下かつ前面枠１６
の端面より下方において水平方向の溝１７ｂが設けてある。当該溝１７ｂにおいては矩形
のストッパ１８が手前側に露出しており、溝１７ｂに沿ってスライド可能に構成されてい
る。また、ストッパ１８が紙面右側に移動されているときに当該ストッパ１８は打球槌２
２の回動経路上に存在しないが、ストッパ１８が紙面左側に移動されているときに当該ス
トッパ１８は打球槌２２の回動経路上に存在する。従って、ストッパ１８は後述のように
して打球槌２２の回動を規制するストッパとして作用する。
【００５７】
本実施形態において、打球槌２２の突起２２ａの配向方向は図４に示す打球槌調整具に
よって調整される。同図は打球槌調整具３０の分解斜視図である。打球槌調整具３０は、
本体３１と把手３２，３３を備えている。本体３１は概略板状の部材によって形成されて
おり、中央からやや先端寄りにて屈曲部３１ａを有している。屈曲部３１ａ側の先端には
装着部３１ｂが取り付けられている。装着部３１ｂは円筒状の部材であり、その内径は上
記打球槌２２の突起２２ａに対して取り付けられるバネ２２ｂの外径とほぼ同径である。
従って、バネ２２ｂが取り付けられた状態の突起２２ａに対して装着部３１ｂを装着する
ことができる。
【００５８】
本体３１の中央のやや装着部３１ｂ寄りには切欠３１ｄが設けられており、この位置に
て本体３１は細くなっている。さらに、本体３１の装着部３１ｂと逆側の先端寄りには矩
形の穴３１ｅが開けられている。この穴３１ｅには、上記把手３３を装着することができ
る。すなわち、把手３３は板状の部材であるとともにその一端には上記穴３１ｅの矩形の
内径と略同一の外径を有する突起３３ａが形成されており、当該突起３３ａを上記穴３１
ｅに挿入して把手３３を上記本体３１に対して装着することができる。むろん、把手３３
は穴３１ｅのどちら側から装着しても良く、取り回しの容易性に鑑みて適宜選択すること
ができる。一方、把手３２は概略円筒の部材であり、その端面に矩形の穴３２ａが形成さ
れている。当該穴３２ａの内径は、上記本体３１の外径とほぼ同一径である。従って、本
体３１の一端を穴３２ａに対して挿入して把手３２を本体３１に対して装着することがで
きる。
【００５９】
図５は、打球槌調整具３０にて打球槌２２の突起２２ａを調整する際の上記ストッパ１
８の利用形態を説明する説明図である。同図においては、ガラス枠を取り外した状態のパ
チンコ機１０において遊技球打出部２０の上部を拡大して示しており、打球槌調整具３０
は本体３１を切断した状態で装着部３１ｂを示している。打球槌調整具３０においては、
把手３２，３３を本体３１に対して装着し、それぞれの把手３２，３３を左右の手で握り
ながら調整操作を行う。
【００６０】
突起２２ａの配向方向を調整するためには、突起２２ａの周辺に打球槌調整具と干渉す
る部材が存在しないような回動位置まで打球槌２２を回動させる必要がある。このために
まず、ストッパ１８を紙面右側に移動させて打球槌２２の回動経路上から待避させ、打球
槌２２を紙面時計回りに回動させる。打球槌２２を溝１７ｂよりも下方に回動させたら、
ストッパ１８を紙面左側に移動させて打球槌２２を解放する。
【００６１】
打球槌２２に対して人為的に力を作用させていない状態では、打球槌２２は上記打球力
調整バネ２３によって紙面反時計回り方向に自動で回動するが、ストッパ１８が溝１７ｂ
内で紙面左側に配置しているときには、打球槌２２とストッパ１８とが干渉し、当該干渉
位置にて打球槌２２が維持される。従って、打球槌２２の突起２２ａは静止しており、こ
の突起２２ａに対して上記打球槌調整具３０の装着部３１ｂを容易に装着することができ
る。
【００６２】
この状態で、打球槌調整具３０の把手３２，３３を左右の手で取り回しつつ突起２２ａ
に力を作用させると、突起２２ａの配向方向が変動する。突起２２ａの配向方向を変動さ
せることによって、上記遊技球の打出方向を変動させることができるので、調整後に操作
ハンドル２１を回転させて実際に遊技球を打ち出して確認することによって、遊技球の打
ち出し方向を調整することができる。
【００６３】
打球槌調整具３０には上記切欠３１ｄが設けられており、同切欠３１ｄは上記図５に示
す突起２２ａと装着部３１ｂとの装着状態において打球槌調整具３０で突起２２ａの配向
方向を調整するに当たり、前面枠１６や図２に示す右側の本体枠の端面を避けることがで
きる。すなわち、当該切欠３１ｄが設けられていることによって、打球槌調整具３０を取
り回す際に打球槌調整具３０が他の部材と干渉しづらくしてあり、打球槌調整具３０の取
り回しが非常に容易になる。切欠３１ｄは、取り回しの容易性を向上するために設けられ
ているので、むろん、図４に示す位置には限定されず、調整対象となるパチンコ機１０の
構成に応じて変更することが可能である。
【００６４】
本発明によれば、打球槌２２の周辺の空間が狭くても容易に打球槌２２を調整用の位置
で維持し、その突起２２ａの配向方向を容易に調整することができる。
このような効果を奏するための打球槌調整具としては上述のものに限定されない。例え
ば、ストッパが壁面にてスライド可能である構成が必須になるわけではない。図６は、押
しボタン方式のストッパを構成するための構成例を示す概略図である。この例においては
、壁面１７に２つの矩形状の穴１７ｃ，１７ｄを形成し、壁面１７内で水平面を回動平面
として回動可能にストッパ部材１８１を支持する。
【００６５】
ストッパ部材１８１は可撓性のある板状の部材であるとともにその両側において回動中
心から等距離にアーム１８１ａ，１８１ｂが形成されている。これらのアーム１８１ａ，
１８１ｂは回動中心を中心とした円弧状に形成されており、ストッパ部材１８１の回動と
ともにそれぞれのアーム１８１ａ，１８１ｂが上記穴１７ｃ，１７ｄから手前，奥方向に
進退するように構成されている。また、壁面１７の内部において、ストッパ部材１８１に
はバネ１８１ｃによる付勢力が作用している。バネ１８１ｃはストッパ部材１８１の回動
平面内に配設され、同ストッパ部材１８１の端面に対して当接し、図６において時計回り
に回動するようにストッパ部材１８１に対して付勢力を作用させている。
【００６６】
アーム１８１ｂの上部には係合部１８１ｂ１が形成されており、アーム１８１ｂが押し
込まれたときに、壁面１７内部にて当該壁面１７と係合部１８１ｂ１とが係合するように
なっている。すなわち、ストッパ部材１８１には上記バネ１８１ｃによって付勢力が作用
しているので、壁面１７の内部にて当該壁面１７と係合部１８１ｂ１とが係合したときに
、通常状態ではこの係合が解除されずに維持される。
【００６７】
一方、穴１７ｄはアーム１８１ｂの端面より下方に大きく、また、ストッパ部材１８１
が可撓性のある部材で構成されているので、上記壁面１７と係合部１８１ｂ１とが係合し
た状態でアーム１８１ｂの端面を下方に押し下げると上記係合が解除し、上記バネ１８１
ｃの付勢力によってアーム１８１ｂが壁面１７より手前側に露出する。すなわち、アーム
１８１ｂの端面の押し込み操作に応じて自由にアーム１８１ａを壁面から露出させるか否
かを既定可能な押しボタン構造となっている。
【００６８】
ここで、穴１７ｃは打球槌２２の回動経路上に開けられており、穴１７ｄは打球槌の回
動経路上に位置しないように開けられている。従って、打球槌２２を回動させるときには
アーム１８１ｂ側が壁面１７の手前に露出するようにセットし、打球槌２２の回動位置を
維持したいときにはアーム１８１ａ側が壁面１７の手前に露出するようにセットする。こ
の結果、容易に打球槌２２の回動位置を維持することができる。
【００６９】
さらに、別の実施例として、打球槌を回動させるための部材を形成しても良い。図７は
打球槌を回動させるための部材と打球槌を所定の回動位置で維持するための部材を兼用し
た部材を構成した場合の説明図である。ここにおいて、上記第１実施例と共通の部材は同
符号にて示している。本実施例では、壁面１７の手前側に突出する２つの矩形部材が設け
られており、一方が打球槌２２を回動させるための部材および打球槌２２の回動位置を維
持するための部材を兼用するストッパ１８２ｂであり、他方がこのストッパ１８２ｂの位
置を調整する操作片１８２ａである。
【００７０】
壁面１７の右下かつ前面枠１６の端面上部には操作片１８２ａを露出させて左右に摺動
させることができる溝１７２ａが設けられており、当該溝１７２ａの水平方向左側には上
記ストッパ１８２ｂを露出させて左右に摺動させることができる溝１７２ｂが設けられて
いる。尚、溝１７２ａの右端においてはその上部が上方に向けて切り欠かれている。
【００７１】
本実施例において操作片１８２ａとストッパ１８２ｂとは壁面１７の内部において連結
されている。すなわち、図８に示すように操作片１８２ａとストッパ１８２ｂとはかすが
い状部材１８２ｃの一部である。従って、操作片１８２ａを溝１７２ａ内で左右に摺動さ
せると、それに連動してストッパ１８２ｂも溝１７２ｂ内で左右に摺動する。また、かす
がい状部材１８２ｃは可撓性のある部材であり、操作片１８２ａが溝１７２ａの最右位置
にあるときに、当該操作片１８２ａを上方に移動させると、溝１７２ａの状部の切欠に係
合させることができる。
【００７２】
図８の上部の図は打球槌２２の調整を行わない通常状態での操作片の位置であり、この
状態において操作片１８２ａは打球槌２２の回動経路上に存在しない。
従って、操作片１８２ａの存在にかかわらず打球槌２２は回動することができ、パチン
コ機１０にて遊技を実施することができる。打球槌２２の突起２２ａの配向方向を調整す
るためには、操作片１８２ａを右方向に移動させる。操作片１８２ａが右方向に移動され
ると、これに伴ってストッパ１８２ｂも右方向に移動する。
【００７３】
当該ストッパ１８２ｂの右側には打球槌２２が待機しているので、ストッパ１８２ｂが
移動すると打球槌２２の右側の端面と当接し、打球力調整バネ２３の付勢力に抗して紙面
時計回り方向に打球槌２２を回動させる。操作片１８２ａが溝１７２ａの右端に達したと
きに操作片１８２ａを上方に移動させると、当該操作片１８２ａが溝１７２ａの切欠に係
合する。打球槌２２は上記打球力調整バネ２３によって付勢力が常に作用しており、この
付勢力はストッパ１８２ｂを介して操作片１８２ａを左側に移動させる力として作用する
ので、操作片１８２ａが溝１７２ａの切欠に係合された状態が維持される。
【００７４】
従って、この状態にて打球槌２２を静止させることができ、上記図４に示す打球槌調整
具３０等においてその装着部３１ｂを突起２２ａに対して容易に装着することができる。
打球槌調整具３０によって突起２２ａの配向方向を調整した後に操作片１８２ａを下方に
移動させると、操作片１８２ａは溝１７２ａを左側に移動できるようになるので、上記打
球力調整バネ２３による付勢力によって打球槌２２が通常の待機位置に復帰する。
【００７５】
本発明において、打球槌の突起の配向方向を調整するためには、打球槌調整具の装着部
を突起に対して装着する必要があり、当該装着動作を実施する際の打球槌の位置が決まっ
ていれば、装着動作初期の打球槌調整具の位置も決まる。そこで、パチンコ機の本体枠側
に打球槌調整具の装着部の初期位置を規定する位置決め部を設けると便利である。
【００７６】
図９は、打球槌調整具の装着部を位置決めする位置決め部材をパチンコ機の前面枠に対
して形成した場合の実施例を説明する説明図である。この例において、パチンコ機の主な
構成および打球槌調整具の構成は上記第１実施例と同様であり、ここでも上記第１実施例
と共通の構成に対しては同一の符号を付して説明する。本例における保持部材１７３ａは
、上記第１実施例とほぼ同様に、壁面１７に対して紙面手前方向に垂設されており、その
左下の面と誘導レール１１との間に遊技球を保持するようになっている。
【００７７】
一方、本実施例において保持部材１７３ａの右下の部位には、紙面右下方向に配向した
延設部１７３ｂが設けられており、当該延設部１７３ｂの下部かつ保持部材１７３ａの右
下の面Ｓは延設部１７３ｂの配向方向と略垂直に形成されている。打球槌調整具３０にお
ける装着部３１ｂは略円筒状であって角が略直角であることから、図９のようにして当該
装着部３１ｂを上記延設部１７３ｂと面Ｓに当接させることができる。
【００７８】
図９に示すように、装着部３１ｂを上記延設部１７３ｂと面Ｓに当接させた状態におい
て、装着部３１ｂの円筒軸の延長線上が打球槌２２の突起２２ａの配向方向と略平行であ
る。従って、延設部１７３ｂとストッパ１８にて打球槌２２を係止して回動を停止させた
状態において、装着部３１ｂの初期位置を非常に容易かつ確実に決定しつつ打球槌調整具
３０による突起２２ａ配向方向の調整動作に移行することができる。
【００７９】
打球槌調整具の初期位置を決定し、また、容易かつ的確にその移動経路を規定するため
には上記図９に示す構成以外にも種々の構成を採用可能である。図１０はこの実施例にお
ける打球槌調整具を示す斜視図であり、図１１はこの打球槌調整具の初期位置を決定しそ
の移動経路をガイドするための構成を備えたパチンコ機を説明するための説明図である。
本実施例における打球槌調整具３００の構成は、上記打球槌調整具３０の構成とほぼ同様
であるが、装着部３１ｂに対して突出部３１０ｃが設けられている点で異なっている。
【００８０】
すなわち、突出部３１０ｃは略板状の部材であり、その面が装着部３１ｂの円筒軸に対
して略平行に配向するように上記装着部３１ｂに対して取り付けられている。また、同突
出部３１０ｃの幅Ｗは前面枠１６と壁面１７との間に形成される空間の幅より小さく、当
該空間に対して突出部３１０ｃを挿入することができる。さらに、突出部３１０ｃは薄板
状の部材であるから、図１１に示すように打球槌２２の待機状態にて保持部材１７ａと打
球槌２２の先端との間に突出部３１０ｃの先端を挿入し、両者を係合させつつ打球槌２２
を回動させることが可能になっている。
【００８１】
一方、図１１に示すように壁面１７にはガイド部材１７４が垂設されている。
当該ガイド部材１７４以外の構成は上記第１実施例におけるものと同様である。
ガイド部材１７４は壁面１７から垂設された板状の部材であるとともにその端面が前面
枠１６の上方への延長線上に到達しないような幅となっている。すなわち、ガイド部材１
７４は壁面１７と前面枠１６を延長した面と間の空間に位置している。
【００８２】
また、ガイド部材１７４は図１１の右側において鉤状の部位１７４ａが設けられ、当該
鉤状の部位１７４ａから一旦上方に向かうとともに途中で緩やかにそのカーブが変化し、
保持部材１７ａの下端に向けて延設されている。ガイド部材１７４がこのような形状であ
ることにより、打球槌調整具３００の初期位置を適切に決定し、さらに打球槌２２を回動
させ、装着部３１ｂを突起２２ａに対して装着する際の動作を適切にガイドすることがで
きる。
【００８３】
すなわち、打球槌２２が待機位置にある状態において、突出部３１０ｃの装着部３１ｂ
側の先端を上記鉤状の部位１７４ａに係合させると、突出部３１０ｃの他方端が打球槌２
２に係合し、打球槌調整具３００の初期位置が適切かつ容易に決定される。この状態から
打球槌調整具３００を紙面反時計回りに回転させると、装着部３１ｂおよび突出部３１０
ｃがガイド部材１７４に当接しながら摺動し、ガイド部材１７４のカーブに沿って移動す
る。このとき、突出部３１０ｃの他端においては打球槌２２を回動させる。
【００８４】
打球槌調整具３００を反時計回りに回転させ続けると、装着部３１ｂおよび突出部３１
０ｃがガイド部材１７４の左側の突端に位置したときに突出部３１０ｃの他端と打球槌２
２との係合が解除される。すると、打球槌２２が打球力調整バネ２３の付勢力によって反
時計回りに回動するが、このときの装着部３１ｂおよび突出部３１０ｃの位置は突起２２
ａの回動経路上であり、この位置に装着部３１ｂを保持して待機するのみで、突起２２ａ
が装着部３１ｂに対して装着される。従って、本実施例によれば、打球槌２２の回動およ
び装着部３１ｂの装着を非常に容易に、かつ一連の動作で実施することができる。
【００８５】
パチンコ機１０において、上記前面枠や壁面等の本体枠に対してさらなる工夫を施すこ
とにより、打球槌の突起の配向方向をさらに調整し易くすることも可能である。図１２は
、かかる構成例を説明するための説明図である。同図においては打球槌を省略して示して
いるが、その配設位置や駆動機構は上記図２に示す構成と同様である。本実施例において
は、パチンコ機１０の本体枠に対して切欠および凹部が設けられている。
【００８６】
すなわち、前面枠１６の上端面の一部において切欠１６ａが設けられ、パチンコ機１０
の側面側の枠に切欠１７６が設けられている。切欠１６ａ，１７６はそれぞれ前面枠１６
の上端面およびパチンコ機１０の側面側の枠において、打球槌の突起の配向方向を調整す
るに際して打球槌調整具が配置されうる位置に設けられている。例えば、上記図４に示す
打球槌調整具３０を図５に示すように突起２２ａに対して装着し、突起２２ａに対して力
を作用させるためには把手３２，３３を手で把持しつつ打球槌調整具３０を取り回す。
【００８７】
この取り回しの際には打球槌調整具３０が図１２の紙面下方や右方に移動されるので、
これらの切欠１６ａ，１７６が設けられていることによって打球槌調整具３０が前面枠１
６や側面側の枠と干渉することがない。また、切欠１６ａ，１７６の端面に対して打球槌
調整具３０を当接させつつ打球槌調整具３０を取り回せば、打球槌調整具３０とこれらの
切欠１６ａ，１７６との当接点を力の作用点として突起２２ａに対して力を作用させるこ
とができる。従って、突起２２ａに作用させる力を微妙に調整することができ、突起の配
向方向を調整し易くなる。さらに、図１２に示すパチンコ機１０のように、壁面１７に対
して凹部１７５が設けてもよい。この凹部１７５によれば、打球槌調整具３０を取り回す
際に奥側方向への動きが規制されることがないので、打球槌調整具３０の取り回し自由度
が大きくなり、より調整しやすくなる。
【００８８】
打球槌調整具の動作をガイドするための構成としては図１１に示すものに限られない。
例えば、壁面１７に対して溝を形成し、打球槌調整具において当該溝に挿入可能な挿入部
を形成する構成を採用可能である。すなわち、パチンコ機１０の壁面１７には図１３に示
すように上記ガイド部材１７４と同様のカーブ形状を有した溝１７１が形成されている。
さらに、調整具側では図１４に示す打球槌調整具３０１のように、装着部３１ｂに対して
挿入部３１１が形成されている。
【００８９】
挿入部３１１は板状の部材であり、同挿入部３１１において最大面積を有する面は、突
出部３１ｃにおいて最大面積を有する面に対して略垂直であるとともに装着部３１ｂの円
筒軸方向に対して略垂直である。従って、打球槌調整具３０１の突出部３１ｃによって上
記打球槌２２を係合し、また、装着部３１ｂを突起２２ａに対して装着するための一連の
動作において、当該挿入部３１１の先端は壁面１７の方向に配向する。
【００９０】
上記溝１７１は上記挿入部３１１の先端を挿入可能な幅および深さで形成されており、
挿入部３１１は溝１７１に対してその先端を挿入した状態で突出部３１ｃを打球槌２２に
係合させ、また、装着部３１ｂを突起２２ａに対して装着できるような長さに形成されて
いる。さらに、溝１７１のカーブ形状は上記ガイド部材１７４と同様であるので、挿入部
３１１の先端を溝１７１の右端に対して挿入し、挿入部３１１が溝１７１に沿って移動す
るように打球槌調整具３０１を操作すると、打球槌調整具３０１の初期位置を適切に決定
し、さらに打球槌２２を回動させ、装着部３１ｂを突起２２ａに対して装着する際の動作
を適切にガイドすることができる。
【００９１】
打球槌に配設された突起の配向方向を容易に調整するための構成としては、上述のもの
に限られない。例えば、本体枠に係止片が形成されていなくても打球槌調整具の形状を工
夫することによって容易に打球槌を回動させ、突起の配向方向を調整可能な構成にするこ
とができる。図１５は係止片を備えていない状態における上記遊技球打出部２０の上部を
拡大して示す斜視図である。この構成においては上記打球槌調整具３００を利用して突起
の配向方向を調整することができる。
【００９２】
図１６は、打球槌調整具３００にて打球槌２２の突起２２ａを調整する際の操作を説明
する説明図である。同図において、打球槌調整具３００は本体３１を切断した状態で装着
部３１ｂおよび突出部３１ｃを示している。状態Ａは、突出部３１ｃを打球槌２２の先端
に係合させた状態を示しており、この状態Ａにおいて突出部３１ｃと打球槌２２の先端と
を係合させつつ打球槌調整具３００を図１６における反時計回りに回動させる。この回動
の後、図１６の状態Ｂより打球槌２２をさらに時計回り方向に回動させ、突出部３１ｃと
打球槌２２の先端との係合を解除する。
【００９３】
係合を解除すると、打球槌２２は上記打球力調整バネ２３の付勢力によって反時計回り
に回動する。このとき、状態Ｂに示す装着部３１ｂの位置、すなわち、上記突起２２ａの
回動経路上で装着部３１ｂを待機させておけば、突起２２ａが装着部３１ｂに挿入され、
装着部３１ｂを突起２２ａに装着することができる。状態Ｂのようにして装着部３１ｂを
突起２２ａに装着した状態で、打球槌調整具３００の把手３２，３３を左右の手で取り回
しつつ突起２２ａに力を作用させると、突起２２ａの配向方向が変動する。従って、遊技
球の打ち出し方向を調整することができる。
【００９４】
本発明にかかる打球槌調整具３００によれば、打球槌２２の周辺の空間が狭くても容易
に打球槌２２を調整用の位置まで回動させ、その突起の配向方向を容易に調整することが
できる。このような効果を奏するための打球槌調整具としては上述のものに限定されない
。例えば、打球槌調整具の本体の屈曲角度や突出部等の構成に関して種々のものを採用す
ることができる。図１７は、打球槌調整具を構成する本体の他の一例を示す斜視図である
。この例にかかる打球槌調整具は、上記第１実施例等と同様のパチンコ機１０や打球槌２
２に対して適用することができる。また、上記打球槌調整具３００とは主にその本体の構
成が異なっている。
【００９５】
同図において、上記打球槌調整具３００と異なる部位については異なる符号で示してい
る。この例にかかる打球槌調整具３０１の本体３１１は略板状の部材であるが、その屈曲
部３１１ａの屈曲角は略直角である。また、本体３１１の一端には装着部３１１ｂと突出
部３１１ｃとが取り付けられているが、突出部３１１ｃは装着部３１１ｂと本体３１１と
の間に配設されている。
【００９６】
図１６において状態Ａと状態Ｂとを比較すると、打球槌２２の回動開始から突起２２ａ
の装着までの動作において装着部３１ｂは前面枠１６の端面上方から徐々に下降する。従
って、状態Ｂに近づくにつれて本体３１が本体枠の端面と干渉しやすくなる。この事情は
打球槌調整具３０１においても同様であるが、当該打球槌調整具３０１では屈曲部３１１
ａが略直角であるため、状態Ｂにおいて屈曲部３１１ａと装着部３１１ｂとの間の部位Ｃ
によって本体３１１の部位Ｄが前面枠１６の端面からより上方にオフセットされ、両者が
干渉しづらくなっている。
【００９７】
さらに、他の例にかかる打球槌調整具３０２を構成することもできる。図１８は打球槌
調整具３０２の本体３１を示す斜視図である。この例にかかる打球槌調整具でも、上記第
１実施例等と同様のパチンコ機１０や打球槌２２に対して適用することができる。また、
上記打球槌調整具３００とは主にその本体３１の先端の構成が異なっており、打球槌調整
具３００と異なる部位については異なる符号で示している。
【００９８】
図１８においては、装着部３１ｂに対して突出部３１２ｃが取り付けられている。当該
突出部３１２ｃは概略直方体であるが、その一端に鉤状の係合部３１２ｃ１と円弧状のガ
イド部３１２ｃ２とが設けられている。鉤状の係合部３１２ｃ１は、直方体に形成された
部材の一端において矩形の一辺に沿って切欠を形成することによって作成されている。ま
た、円弧状のガイド部３１２ｃ２は係合部３１２ｃ１側から装着部３１ｂに向けて傾斜を
徐々に変化させて円弧状の斜面を形成することによって作成されている。
【００９９】
かかる構成によれば、係合部３１２ｃ１にて打球槌２２の先端を係合することによって
上記図１８に示す状態Ａとほぼ同様の状態を形成することができ、状態Ａから装着部３１
ｂを反時計回りに回転させることによって打球槌２２を回動させることができる。さらに
、打球槌２２を回動させた後に係合を解除させるにあたり、ガイド部３１２ｃ２と打球槌
２２の先端とを当接，摺動させながら打球槌２２を反時計回りに回動させることができ、
この結果、突起２２ａを確実に装着部３１ｂに対してガイドすることができ、装着部３１
ｂを突起に対して確実に装着することができる。
【０１００】
ここで、鉤状の係合部３１２ｃ１においては待機位置に待機した打球槌２２を係合して
回動させることができればよく、その大きさや切欠の角度等が特定のものに限定されるわ
けではない。また、円弧状のガイド部３１２ｃ２は、打球槌２２を一旦回動させて係合を
解除した後に、打球槌２２の一部に当接させながらその突起２２ａが装着部３１ｂに装着
されるようにガイドすることができればよく、その円弧のカーブや長さ等が特定の形状に
限定されることはない。
【０１０１】
さらに、他の例にかかる打球槌調整具３０３を構成することもできる。図１９は打球槌
調整具３０３の本体３１を示す斜視図である。この例にかかる打球槌調整具３０３は上記
打球槌調整具３００と比較して突出部の構成が異なっており、上記打球槌調整具３００と
同様の構成については同一の符号にて示している。すなわち、本例にかかる突出部３１３
ｃは板状の部材にて形成されており、装着部３１ｂの円筒軸方向と長手方向とが略平行で
あることに変わりはないが、突出部３１３ｃはその略中央に屈曲部３１３ｃ１を有してい
る。
【０１０２】
このような形状であっても、待機位置にて待機する打球槌２２に突出部３１３ｃの先端
を係合させて打球槌２２を容易に回動させることができる。また、打球槌２２を回動させ
た後に両者の係合を解除し、打球力調整バネ２３の付勢力によって打球槌２２が逆方向に
回動する際に、上記屈曲部３１３ｃ１によって突出部３１３ｃと突起２２ａとの干渉を防
止することができる。従って、突起２２ａの装着部３１ｂに対する入射角がより自由にな
り、両者の装着が容易になる。
【０１０３】
さらに、他の例にかかる打球槌調整具３０４を構成することもできる。図２０は打球槌
調整具３０４の本体３１を示す斜視図である。この例にかかる打球槌調整具３０４は上記
打球槌調整具３００と比較して装着部の構成が異なっており、上記打球槌調整具３００と
同様の構成については同一の符号にて示している。すなわち、本例にかかる装着部３１４
ｂは断面略Ｕ字状の部材であり、当該Ｕ字状の部位で突起２２ａを覆うようにして装着す
ることができる。この装着部３１４ｂであっても突起２２ａに対して装着部３１４ｂを装
着した後に打球槌調整具３０４を取り回すことによって突起２２ａの配向方向を調整する
ことができる。
【０１０４】
本例によれば、突起２２ａに対する装着部３１４ｂの脱着が容易になる。すなわち、装
着時には突起２２ａの垂設方向に対して略平行に装着部３１４ｂを移動させて両者を装着
することができるし、突起２２ａの垂設方向に対して略直角方向から装着部３１４ｂのＵ
字状部位の開口部を接近させ、覆い被せるようにして両者を装着することが可能である。
さらに、両者を分離する場合にも突起２２ａの垂設方向に対して略平行に装着部３１４ｂ
を移動させて両者を分離することができるし、突起２２ａの垂設方向に対して装着部３１
４ｂを略直角方向に移動させて両者を分離することも可能である。上述のように打球槌２
２の周辺の空間が狭く、また、打球槌２２に対しては打球力調整バネ２３によって常に付
勢力が作用しているが、装着部３１４ｂが断面Ｕ字状であることによって突起２２ａに対
する脱着が非常に容易になる。
【０１０５】
打球槌に配設された突起の配向方向を容易に調整するための構成としては、上述のもの
に限られない。例えば、図２１に示すように打球槌に延設部を設け、当該打球槌を回動さ
せる際に使用しても良い。図２１は、上記遊技球打出部２０の上部を拡大して示す斜視図
であり、この実施例においてパチンコ機１０の本体枠や遊技球打出部等の構成は上述のも
のと同様である。このパチンコ機１０においても、打球槌２２は先端部分が前面枠１６の
奥側に位置しているが、同打球槌２２の先端には延設部２２ｄが設けられており、当該延
設部２２ｄは前面枠１６の端面より上方に位置している。延設部２２ｄと打球槌２２の本
体との境界は前面枠１６の上端面より下方に位置している。
【０１０６】
本実施例においては、延設部２２ｄを介して打球槌２２に対して容易に回動力を作用さ
せることができる。すなわち、上記打球槌調整具３００のような調整具の突出部を延設部
２２ｄに対して容易に係合させつつ打球槌２２を回動させることができる。また、当該延
設部２２ｄを指で押さえながら打球槌２２を回動させることができる。尚、本実施例にお
いては、打球槌２２を回動させる際に突出部３１ｃと延設部２２ｄとの干渉を避けるため
に、図２２に示すように突出部３１ｃの中央に矩形の穴３１ｆを形成すると好適である。
【０１０７】
さらに、打球槌を延設する方向や延設部の形状に関して種々のものを採用することがで
きる。図２３は他の実施例にかかる打球槌２２０の動作を示しており、図２４は当該打球
槌２２０の突起２２ａの配向方向を調整するための打球槌調整具３０５の本体を示す斜視
図である。図２３において打球槌調整具３０５は本体３１を切断した状態で示している。
この実施例では打球槌２２０の先端に略円柱状の延設部２２０ｄが設けられている。同延
設部２２０ｄは、打球槌２２０の先端部において図２３の紙面手前側の面で突起２２ａに
対して略垂直となるように垂設されている。同延設部２２０ｄは打球槌２２０が回動する
際に前面枠１６の上部端面と干渉しないような高さに形成されている。従って、打球槌２
２０はパチンコ機１０の操作ハンドル２１の操作によって回動し、繰り返し遊技球を打ち
出すことができる。
【０１０８】
打球槌調整具３０５においては、突出部３１０ｃのみが上記第１実施例と異なる構成と
なっている。すなわち、突出部３１０ｃは略角柱の細い部材によって構成されており、装
着部３１ｂの外周に対して本体３１寄りに取り付けられている。本例においては状態Ｅの
ようにして突出部３１０ｃを打球槌２２０の延設部２２０ｄに係合させ、突出部３１０ｃ
と打球槌２２０の延設部２２０ｄとを係合させつつ打球槌調整具３００を図２３における
反時計回りに回動する。打球槌２２０を所定の位置まで回動させた後に突出部３１０ｃと
延設部２２０ｄとの係合を解除すると打球槌２２０は上記打球力調整バネ２３の付勢力に
よって反時計回りに回動する。このとき、装着部３１ｂを図２３の状態Ｆに示す位置で待
機させること、打球槌２２０が回動して待機位置に復帰する動作をする過程で装着部３ｂ
を突起２２ａに対して装着する。従って、この状態において突起２２ａの配向方向を容易
に調整することができる。
【０１０９】
さらに、他の実施例として打球槌と別体の部材を装着可能に構成して、当該部材の脱着
によって打球槌を実質上延設するようにしても良い。図２５はかかる構成を採用した打球
槌の例を示す斜視図である。同図において打球槌２２１の先端には矩形の突起２２１ａが
先端方向に向けて延設されている。また、延設部材２２１ｄは、略直方体であり、一面に
略矩形の凹部２２１ｄ１が形成されている。打球槌２２１において突起２２ａの配向方向
を調整しようとする際には、延設部材２２１ｄの凹部２２１ｄ１と突起２２１ａとを向か
い合わせ、延設部材２２１ｄを打球槌２２１に対して装着する。
【０１１０】
延設部材２２１ｄを打球槌２２１に対して装着すると、打球槌２２１はその先端方向に
対して実質上延設され、上記打球槌調整具３００等を利用して容易に回動させることがで
きる。むろん、図２５に示したようにして別部材によって打球槌を延設する構成は一例で
あり、延設部２２ｄに対して装着可能な部材を構成してさらに延設しても良い。また、延
設部材は打球槌に対して装着可能であればよいので、打球槌側に凹部を形成し、延設部材
にて突起を形成して両者を向かい合わせつつ装着するように構成しても良い。
【０１１１】
延設部に関しさらに他の構成も採用可能であり、延設部に屈曲部を設けても良い。図２
６はかかる構成を採用した打球槌を示す図であり、図２７は当該打球槌において突起の配
向方向を調整するための打球槌調整具の要部斜視図である。図２６において、打球槌２２
２の延設部２２２ｄは先端にて屈曲されている。また、延設部２２２ｄが前面枠１６の上
端面より上方に突出している。従って、図２７に示す打球槌調整具３０６によって容易に
打球槌２２２を回動させることができる。
【０１１２】
すなわち、打球槌調整具３０６においては屈曲部３１６ａが略直角であり、略角柱の突
出部３１６ｃが面Ｇに対して垂設されている。打球槌２２２を回動させる際には、打球槌
調整具３０６において装着部３１ｂを上方に向けつつ面Ｇを下方に向けて状態Ｈとし、当
該突出部３１６ｃを延設部２２２ｄに対して係合させる。突出部３１６ｃと打球槌２２２
の延設部２２２ｄとを係合させつつ打球槌調整具３０６を図２６における反時計回りに回
動させると、打球槌２２２は上記打球力調整バネ２３の付勢力に抗して時計回りに回動す
る。打球槌調整具３０６の回動を続け、面Ｇが上方を向く状態Ｉで突出部３１６ｃと打球
槌２２２の延設部２２２ｄとの係合を解除すると打球槌２２２が反時計回りに回動する。
従って、図２６の状態Ｉのようにして前面枠１６の端面の下方にて打球槌２２２の突起２
２ａを装着部３１ｂに装着させることができる。
【０１１３】
以上の例においては、突出部と延設部とを確実に係合させるため、延設部に切欠や凹部
を形成することが可能である。図２８は、上記図２６に示す打球槌２２２の延設部２２２
ｄの先端に凹部２２２ｄ１を形成した状態を示す斜視図である。かかる構成において打球
槌調整具の突出部先端が当該凹部２２２ｄ１に嵌るように形成すれば、より確実に突出部
と延設部２２２ｄとを係合させることができる。むろん、上記図２１に示す延設部２２ｄ
等において突出部に対応した切欠や凹部を形成しても良い。また、摩擦係数の大きな部材
を貼り付けたり延設部に傷を付けるなどして摩擦係数を増大させ、確実に係合させるよう
にしても良い。
【０１１４】
このように、本発明においては、パチンコ機の本体枠に係止片を形成することによって
打球槌の回動位置を維持可能に構成する。従って、打球槌の周辺の空間が狭くてもその突
起を容易に調整することができる。また、本体枠に打球槌調整具の位置決め等を実施する
ガイド部材を設けたり、取り回し領域を確保するための切欠を設けることも可能であり、
かかる構成においても打球槌の周辺の空間が狭い場合にその突起を容易に調整することが
できる。
【符号の説明】
【０１１５】
１０…パチンコ機 
１１…誘導レール 
１２…遊技領域 
１３…始動口 
１４…液晶表示パネル 
１５…大入賞口 
１６…前面枠 
１６ａ…切欠 
１７…壁面 
１７ａ…保持部材 
１７ｂ…溝 
１７ｃ，１７ｄ…穴 
１８…ストッパ 
２０…遊技球打出部 
２１…操作ハンドル 
２２…打球槌 
２２ａ…突起 
２２ｂ…バネ 
２２ｃ…爪片 
２３…打球力調節バネ 
２４…ストッパ 
２５…モータ部 
２５ａ…発射モータ 
２５ｂ…回転体 
２６…バネ長調節片 
２６ａ…ワイヤー 
３０…打球槌調整具 
３１…本体 
３１ａ…屈曲部 
３１ｂ…装着部 
３１ｄ…切欠 
３１ｅ…穴 
３２…把手 
３２，３３…把手 
３２ａ…穴 
【図１】
0005440575.tif 000002
【図２】
0005440575.tif 000003
【図３】
0005440575.tif 000004
【図４】
0005440575.tif 000005
【図５】
0005440575.tif 000006
【図６】
0005440575.tif 000007
【図７】
0005440575.tif 000008
【図８】
0005440575.tif 000009
【図９】
0005440575.tif 000010
【図１０】
0005440575.tif 000011
【図１１】
0005440575.tif 000012
【図１２】
0005440575.tif 000013
【図１３】
0005440575.tif 000014
【図１４】
0005440575.tif 000015
【図１５】
0005440575.tif 000016
【図１６】
0005440575.tif 000017
【図１７】
0005440575.tif 000018
【図１８】
0005440575.tif 000019
【図１９】
0005440575.tif 000020
【図２０】
0005440575.tif 000021
【図２１】
0005440575.tif 000022
【図２２】
0005440575.tif 000023
【図２３】
0005440575.tif 000024
【図２４】
0005440575.tif 000025
【図２５】
0005440575.tif 000026
【図２６】
0005440575.tif 000027
【図２７】
0005440575.tif 000028
【図２８】
0005440575.tif 000029